(57)【特許請求の範囲】
【請求項１】
ディスク状記録媒体または該ディスク状記録媒体が収容されたカートリッジの何れかが選択的に挿入される挿入口と、
前記カートリッジが挿入される前は前記ディスク状記録媒体が通過できる隙間を有する開口を除いて前記挿入口を閉塞する閉塞位置に回動し、前記カートリッジが挿入される過程で前記挿入口を開放する方向に回動して前記挿入口を開放する開放位置に保持される開閉部材と、
前記開閉部材の前記開口を塞ぐように設けられ、前記ディスク状記録媒体の挿入により変形すると共に、弾性復元力により前記ディスク状記録媒体の挿入位置をガイドする弾性部材と、
を備えてなることを特徴とするディスク装置。
【請求項２】
前記弾性部材は、前記ディスク状記録媒体の挿入をガイドする位置が前記挿入口を通過するカートリッジの挿入位置と略同じ位置となるように設けられたことを特徴とする請求項１記載のディスク装置。
【請求項３】
前記開閉部材は、前記挿入口を２分割するように配置された２部材からなり、前記２部材が前記カートリッジの挿入により異なる２方向に回動して前記挿入口を開放することを特徴とする請求項１記載のディスク装置。
【発明の詳細な説明】
【０００１】
【発明の属する技術分野】
本発明はディスク装置に係り、特にディスク状記録媒体またはディスク状記録媒体が収容されたカートリッジが選択的に挿入されるよう構成されたディスク装置に関する。
【０００２】
【従来の技術】
記録媒体が装着されて記録再生を行うディスク装置は、挿入される記録媒体の形態によって構成が異なっており、ディスク状記録媒体（以下「ディスク」という）を直接挿入するスロットイン方式と、ディスクが収容されたカートリッジを挿入するカートリッジ挿入方式の２種類に分類される。
【０００３】
スロットイン方式の場合、前面ベゼルに設けられたスリット状の挿入口にディスクを挿入すると、内部に設けられた一対のローラがディスクの上下面に当接した状態で回転駆動される。そのため、ディスクは、挿入口に手動で挿入されると、一対のローラが回転して装置内部の所定装着位置に引き込まれる。
【０００４】
また、カートリッジ挿入方式の場合、前面ベゼルに設けられた挿入口にカートリッジを挿入すると、内部に設けられたカートリッジ搬送機構の動作によりカートリッジを装置内部に引き込む。そのため、カートリッジは、挿入口に手動で挿入されると、カートリッジ搬送機構が駆動されて装置内部の所定装着位置に搬送される。
【０００５】
【発明が解決しようとする課題】
しかしながら、従来のディスク装置においては、上記スロットイン方式あるいはカートリッジ挿入方式のいずれかであるので、使用できる記録媒体の形式が限定されてしまい、例えば記録媒体がディスクのみ場合にはカートリッジ挿入方式のものに挿入することができず、あるいは記録媒体がカートリッジの場合にはスロットイン方式のものに挿入することができないという問題があった。
そのため、従来は、使用するディスク装置の記録媒体装着方式を確認してから記録媒体を選定する必要があり、不便であった。
【０００６】
また、トレイ式の装着装置が搭載されたディスク装置では、トレイにディスク装置及びカートリッジを装着する構成のものもあるが、トレイがカートリッジよりも大きくなるので、トレイの摺動スペースが大きくなり、装置の小型化を図ることが難しいという問題がある。
そこで、本発明は上記課題を解決したディスク装置を提供することを目的とする。
【０００７】
【課題を解決するための手段】
本発明は上記課題を解決するため、以下のような特徴を有する。
上記請求項１記載の発明は、ディスク状記録媒体またはディスク状記録媒体が収容されたカートリッジの何れかが選択的に挿入される挿入口と、カートリッジが挿入される前はディスク状記録媒体が通過できる隙間を有する開口を除いて挿入口を閉塞する閉塞位置に回動し、カートリッジが挿入される過程で挿入口を開放する方向に回動して挿入口を開放する開放位置に保持される開閉部材と、開閉部材の開口を塞ぐように設けられ、ディスク状記録媒体の挿入により変形すると共に、弾性復元力によりディスク状記録媒体の挿入位置をガイドする弾性部材と、を備えてなり、ディスク状記録媒体を直接挿入口に挿入する場合には弾性部材が撓んでディスク状記録媒体の挿入位置をガイドすることができ、カートリッジを挿入する場合には開閉部材が開放位置に回動してスムーズに挿入することができる。
【０００８】
また、請求項２記載の発明は、弾性部材が記ディスク状記録媒体の挿入をガイドする位置が挿入口を通過するカートリッジの挿入位置と略同じ位置となるように設けられており、ディスク状記録媒体及びカートリッジを同じ平面上で保持して確実に装置内に装着することができる。
【０００９】
また、請求項３記載の発明は、開閉部材が挿入口を２分割するように配置された２部材からなり、２部材が前記カートリッジの挿入により異なる２方向に回動して挿入口を開放する構成であり、開閉部材をスムーズに開閉できると共に、ディスク状記録媒体の挿入位置を挿入口の中央に設けることができ、ディスク状記録媒体の挿入操作が容易に行える。
【００１０】
【発明の実施の形態】
次に、本発明の実施の形態を図面と共に説明する。
【００１１】
図１乃至図４は、本発明の一実施例であるディスク装置１０を示している。図１はディスク装置１０の分解斜視図であり、図２はディスク装置１０の平面図であり、図３はディスク装置１０の正面図であり、更に図４はディスク装置１０の側面図である。
【００１２】
本実施例に係るディスク装置１０は、８センチメートルの直径を有したＣＤ，ＣＤ−Ｒ，ＣＤ−ＲＷ，ＣＤ−ＲOM，ＤＶＤ−ＲOＭ，ＤＶＤ−ＲＡＭ（以下、８ｃｍディスク１１という）、１２センチメートルの直径を有したＣＤ，ＣＤ−Ｒ，ＣＤ−ＲＷ，CＤ−ＲOＭ，ＤＶＤ−ＲOＭ，ＤＶＤ−ＲＡＭ（以下、これらのディスクを総称して１２ｃｍディスク１２という）、ＤＶＤ−ＲＡＭ１４（ＤＶＤ）が装着されたディスクカートリッジ１３を装着し再生及び／または記録処理が行なえる、いわゆるコンパチブルなディスク装置である。また、ディスク装置１０は、ディスク１１，１２及びディスクカートリッジ１３が同一の挿入口１３３（図４参照）から挿入されるスロットイン・コンパチブル方式の装着装置が搭載されている。
【００１３】
尚、８ｃｍディスク１１及び１２ｃｍディスク１２は、請求項に記載のディスク状記録媒体に相当するものであり、ディスクカートリッジに装着されることなくディスクそのままの状態でディスク装置１０に装着される。これに対し、ＤＶＤ−ＲＡＭ１４（ＤＶＤ）が内部に収容されたディスクカートリッジ１３は、請求項に記載のカートリッジに相当するものである。
【００１４】
ディスク装置１０は、大略するとベース２０，ホルダ４０，キャリアユニット７０，及びベースカバー１２０等により構成されている。
ベース２０は、ベース本体２１にターンテーブル２４，ピックアップ２６，第１のディスクレバー駆動カム２８，及び第２のディスクレバー駆動カム２９等を配設した構成とされている。
ベース本体２１は平板状の基板であり、第１の開口部２２及び第２の開口部２３が形成されている。第１の開口部２２には、これを横架するよう図中矢印Ｙ１，Ｙ２方向に延在する２本のガイドシャフト２７が配設されており、この各ガイドシャフト２７は所定の距離だけ離間配置されている。
【００１５】
ピックアップ２６は、各ガイドシャフト２７にガイドされ、ピックアップ駆動機構（図示せず）により図中矢印Ｙ１，Ｙ２方向（各ディスク１１，１２，１４の半径方向）に移動可能な構成とされている。このピックアップ２６は、再生及び／または記録処理が行なわれる位置（以下、この位置を再生／記録位置という）に搬送された状態の各ディスク１１，１２，１４に対してレーザ光を照射し、またその反射光を受光する構成とされている。これにより、ピックアップ２６は各ディスク１１，１２，１４に対して再生及び／または記録処理を行なう構成とされている。
【００１６】
ターンテーブル２４は、ベース本体２１に配設されたディスクモータ２５により所定回転数で回転する構成とされている。このターンテーブル２４は、各ディスク１１，１２，１４が再生／記録位置に搬送された際、後述するようにホルダ４０が移動することにより各ディスク１１，１２，１４のセンターホール１１ａ，１２ａ，１４ａと係合し、クランパ５８と協働して各ディスク１１，１２，１４をクランプする。よって、各ディスク１１，１２，１４は、ディスクモータ２５により所定回転数で回転する。
【００１７】
また、ベース本体２１の背面で第２の開口部２３の近傍位置には、ホルダ駆動スライダ３０が配設されている（図３参照）。このホルダ駆動スライダ３０は、図示しないスライドモータにより、図中矢印Ｘ１，Ｘ２方向に移動可能な構成とされている。また、ホルダ駆動スライダ３０の所定位置には、上下方向（図中矢印Ｚ１，Ｚ２方向）に延在するカム板部３１が配設されている。
このカム板部３１には長孔により形成された一対の斜めカム３２，３３が設けられている。この各斜めカム３２，３３は、図３に示すように、正面視した状態において略Ｚ字状の形状とされている。よって、ホルダ駆動スライダ３０がスライドモータにより図中矢印Ｘ１，Ｘ２方向に移動すると、これに伴い各斜めカム３２，３３も図中矢印Ｘ１，Ｘ２方向に移動する構成とされている。
【００１８】
また、第１及び第２のディスクレバー駆動カム２８，２９は、ベース本体２１に図中矢印Ｚ１方向に突出するよう形成された突起である（図１，図３，及び図４（Ａ）に詳しい）。この第１及び第２のディスクレバー駆動カム２８，２９は、後述するディスクレバー６０の配設位置と対応する位置に形成されている。
【００１９】
ホルダ４０は、ベース２０とベースカバー１２０との間に配設されるものであり、右レール５０，左レール５１，クランパホルダ５９，ディスクレバー６０，及びキャリアユニット７０が配設される。また、ホルダ４０は、後に詳述するようにベース２０とベースカバー１２０との間で回動軸５７を中心に揺動可能な構成とされている（図４参照）。尚、ベース２０とベースカバー１２０は固定されている。
このホルダ４０は、金属板を折り曲げ形成することにより底板部４１，右側壁部４２，及び左側壁部４３を一体的に成形した構成とされている。底板部４１には、第１の開口部４４，第２の開口部４５，及び第３の開口部４９が形成されている。
【００２０】
第１の開口部４４は、前記したベース２０に設けられたターンテーブル２４の配設位置、及びピックアップ２６の移動位置を含んで形成されている。よって、ターンテーブル２４は第１の開口部２２を介して各ディスク１１，１２，１４を装着し、またピックアップ２６と各ディスク１１，１２，１４との間でレーザ光は第１の開口部２２を介して授受される。
【００２１】
第２の開口部４５は、その縁部に垂下部４６が配設されている。この垂下部４６は、底板部４１から下方（図中、矢印Ｚ２方向）に垂下するよう形成されている。また、この垂下部４６には、一対の従動ピン４７，４８が配設されている。
この垂下部４６は、ホルダ４０をベース２０に組み付けた状態において、ベース２０に形成された第２の開口部２３からベース背面に突出するよう構成されている。また、垂下部４６に配設された従動ピン４７，４８は、図３に示すように、ホルダ駆動スライダ３０に配設されたカム板部３１の斜めカム３２，３３に係合するよう構成されている。
【００２２】
従って、ディスク装置１０が図３に示す状態（図４（Ａ）に示す状態と同じ）からスライドモータが駆動し、ホルダ駆動スライダ３０が図中矢印Ｘ１方向に移動すると、これに伴い従動ピン４７は斜めカム３２内を、従動ピン４８は斜めカム３３内を相対的に下動する。これにより、垂下部４６が設けられているホルダ４０は回動軸５７を中心に図４における反時計方向に揺動する。そして、従動ピン４７，４８が斜めカム３２，３３の下端部に達した状態において、図４（Ｂ）に示すようにホルダ４０はベース２０と当接する。
【００２３】
また、図４（Ｂ）に示す状態（以下、この状態をホルダ４０の下動位置という）から、スライドモータが駆動してホルダ駆動スライダ３０が図中矢印Ｘ２方向に移動すると、これに伴い各従動ピン４７，４８は各斜めカム３２，３３内を相対的に上動する。これにより、ホルダ４０は回動軸５７を中心に図４における時計方向に揺動し、そして従動ピン４７，４８が斜めカム３２，３３の上端部に達した状態において、図３及び図４（Ａ）に示すようにホルダ４０はベース２０から離間した状態（以下、この状態をホルダ４０の上動位置という）となる。
【００２４】
一方、第３の開口部４９は、前記したベース２０に設けられた第１及び第２のディスクレバー駆動カム２８，２９と対向する位置に形成されている。従って、ホルダ４０が下動位置に移動すると、第１及び第２のディスクレバー駆動カム２８，２９は、この第３の開口部４９を介して底板部４１の上部に突出するよう構成されている。
上記構成とされた底板部４１の右側部には右側壁部４２が、また左側部には左側壁部４３がそれぞれ形成されている。この各側壁部４２，４３の上部所定範囲は内側に向け直角に折り曲げられることにより鍔部５５，５６を形成している。従って、ホルダ４０の両側部は、図３に示すように正面視した状態において略コ字状の形状となっている。
【００２５】
この鍔部５５，５６を有した各側壁部４２，４３には、レール５０，５１が配設されている。具体的には、右側壁部４２には右レール５０が固定され、左側壁部４３には左レール５１が固定された構成とされている。この各レール５０，５１は樹脂成形されたものであり、ホルダ４０の両側壁部４２，４３に沿って図中矢印Ｙ１，Ｙ２方向に長く延在している。
また、各レール５０，５１の断面は、図３に示すように、略コ字形状とされている。後述するキャリアユニット７０は、このレール５０，５１をガイドとして図中矢印Ｙ１，Ｙ２方向に移動する構成とされている。また、左レール５１の内壁部分にはラックギヤ５２がキャリアユニット７０の移動範囲にわたり形成されている。
【００２６】
更に、右レール５０には右側壁部４２を含め図中矢印Ｘ１，Ｘ２方向に貫通するカートリッジレバー退避用開口５３が形成され、また左レール５１には左側壁部４３を含め図中矢印Ｘ１，Ｘ２方向に貫通するディスクレバー用開口６７が形成されている。尚、上記した各レール５０，５１はホルダ４０に強固に固定されており、ホルダ４０に対して変位するようなことはない。
【００２７】
ディスクレバー６０は、図１に示されるようにレバー本体部６１，回転軸６２，係合爪部６３，及び係合部６６を有した構成とされている。回転軸６２はレバー本体部６１の図１におけるＹ１方向端部に立設されており、この回転軸６２はホルダ４０の左側壁部４３に形成された軸受部６４に軸承される。前記したように、左レール５１及び左側壁部４３にはディスクレバー用開口６７が形成されているため、ディスクレバー６０はディスクレバー用開口６７内において回転軸６２を中心として回動自在な構成となる。
【００２８】
また、レバー本体部６１は平板形状とされており、ホルダ４０に装着された状態において底板部４１上に載置される。よって、ディスクレバー６０が回動することにより、レバー本体部６１は底板部４１上を摺動する。また、レバー本体部６１の所定位置には係合部６６が形成されており、この係合部６６はホルダ４０が下動位置に移動した際、ベース２０に設けられている第１または第２のディスクレバー駆動カム２８，２９と選択的に係合する構成とされている。
係合爪部６３は上下一対の爪片により構成されており、レバー本体部６１の図１における矢印Ｙ２方向端部に立設された部分に配設されている。この係合爪部６３は、後述するように８ｃｍディスク１１或いは１２ｃｍディスク１２がディスク装置１０内に挿入され搬送される際、各ディスク１１，１２の挿入方向後部と係合しこれを保持する機能を奏する。
【００２９】
上記構成とされたディスクレバー６０は、図２に示すようにディスクレバー付勢バネ６５に接続されている。このディスクレバー付勢バネ６５は、矢印Ｙ２方向端部がホルダ４０に接続されており、矢印Ｙ１方向端部がディスクレバー６０に接続された構成とされている。このディスクレバー付勢バネ６５により、ディスクレバー６０は平面視した状態において回転軸６２を中心に反時計方向に回動付勢されている。
【００３０】
一方、クランパホルダ５９は両側部を鍔部５５，５６にネジ止めされることにより、ホルダ４０の上部に取り付けられる。このクランパホルダ５９は、その中央部にクランパ５８が配設されている。このクランパ５８の配設位置は、ベース２０に設けられたターンテーブル２４の配設位置と対応するよう構成されている。
このクランパ５８は、図４（Ａ）に示すようにホルダ４０が上動位置にある場合には、ターンテーブル２４と離間しており各ディスク１１，１２及びディスクカートリッジ１３のホルダ４０内への装着を許容する状態となっている。また、各ディスク１１，１２及びディスクカートリッジ１３のホルダ４０内への搬送に伴い、ホルダ４０が図４（Ｂ）に示す下動位置に移動すると、相対的にクランパ５８はターンテーブル２４に近接する。
【００３１】
図４（Ａ）（Ｂ）に示されるように、前面ベゼル１３０には、ディスク１１，１２及びディスクカートリッジ１３を挿入するための挿入口１３３が開口している。この挿入口１３３は、カートリッジ挿入前の状態で上下方向に２分割された開閉蓋（開閉部材）１３１，１３２により閉塞されている（図４（Ｂ）参照）。開閉蓋１３１，１３２はディスクカートリッジ１３を挿入する際に内側に回動する（図４（Ａ）参照）。
【００３２】
そして、挿入口１３３に挿入されたディスク１１，１２またはディスクカートリッジ１３は、キャリアユニット７０によって装置内部に搬送され、搬送が完了した時点において、クランパ５８とターンテーブル２４は当接し、各ディスク１１，１２，１４はクランパ５８とターンテーブル２４との間でクランプされる。この際、クランパ５８にはクランプ用マグネットが配設されており、ターンテーブル２４にはクランプ用ヨークが配設されている。よって、クランプ用マグネットが磁力により吸着することにより、各ディスク１１，１２，１４はクランパ５８とターンテーブル２４との間で確実にクランプされる。
【００３３】
続いて、キャリアユニット７０について説明する。
キャリアユニット７０は各ディスク１１，１２及びディスクカートリッジ１３を保持する構成とされており、前記したホルダ４０に図中矢印Ｙ１，Ｙ２方向に移動可能に配設されるものである。従って、各ディスク１１，１２及びディスクカートリッジ１３を保持した状態でキャリアユニット７０が図中矢印Ｙ１方向に移動することにより、各ディスク１１，１２及びディスクカートリッジ１３は挿入方向に搬送される。また、各ディスク１１，１２及びディスクカートリッジ１３を保持した状態でキャリアユニット７０が図中矢印Ｙ２方向に移動することにより、各ディスク１１，１２及びディスクカートリッジ１３は排出方向に搬送される。
図５に示すように、キャリアユニット７０は上部半体７１，右下部半体７２，左下部半体７３，クリップディスク７４（７４−１〜７４−４），カートリッジレバー７７，及びシャッタレバー７８等により構成されている。
【００３４】
各半体７１〜７３は樹脂成形されたものであり、協働してキャリア本体を構成する。上部半体７１は、右部７１ａと左部７１ｂが連通部７１ｃにより連結された構成とされている。右部７１ａの上面には第１のクリップディスク７４−１及び板バネ７９が配設される装着凹部９１が形成されており、左部７１ｂには第３のクリップディスク７４−３が配設される装着凹部９０が形成されている。
【００３５】
また、右部７１ａの右側部近傍には、図中矢印Ｙ１，Ｙ２方向に延在するカートリッジレバー案内溝１０３が形成されている。このカートリッジレバー案内溝１０３には、カートリッジレバー７７の軸部１０５が移動可能に係合する。このカートリッジレバー７７は、ディスクカートリッジ１３の搬送を行なう際に用いられるものであるが、説明の便宜上その詳細については後述するものとする。
【００３６】
また、右部７１ａの上面には軸孔１１７が形成されており、シャッタレバー７８はこの軸孔１１７に装着される。シャッタレバー７８は、ディスクカートリッジ１３がディスク装置１０に挿入される際、ディスクカートリッジ１３に設けられているシャッタ１５０を開閉する機能を奏するものである。
【００３７】
このシャッタレバー７８は、板状のレバー本体１０９の一端部近傍に下方に向け突出した軸部１１０が形成されており、この軸部１１０が軸孔１１７に回動自在に挿通されることにより上部半体７１に装着される。また、この軸部１１０が軸孔１１７に挿通される位置には、図２に示すようにトーションバネよりなるシャッタレバー付勢バネ１１５が配設される。
【００３８】
このシャッタレバー付勢バネ１１５は、一端がレバー本体１０９の端部に形成されたバネ掛け部１１４と係合し、他端部が右部７１ａの所定位置に係合するよう構成されている。よって、シャッタレバー７８は、シャッタレバー付勢バネ１１５により軸部１１０を中心とし図２における反時計方向に回動付勢される。
【００３９】
また、レバー本体１０９の他端部近傍には、レバー本体１０９の長手方向に延在する長孔１１２が形成されている。そして、この長孔１１２には、シャッタ駆動ピン１１３が移動可能に配設されている。このシャッタ駆動ピン１１３は、図３に示すようにレバー本体１０９より下方に向け突出しており、ディスクカートリッジ１３に設けられているシャッタ（図示せず）と係合するよう構成されている。
【００４０】
また、シャッタ駆動ピン１１３は、図１に示されるベースカバー１２０に形成されたスリット１２６とも係合するよう構成されている。よって、ディスクカートリッジ１３がディスク装置１０に対し挿入／排出される際、シャッタレバー７８の回動に伴いシャッタ駆動ピン１１３が長孔１１２及びスリット１２６に位置規制されて移動することによりシャッタ（図示せず）は開閉される。
【００４１】
更に、レバー本体１０９の中央位置には、係合孔１１１が形成されている。この係合孔１１１は、ディスクカートリッジ１３の挿入に伴いシャッタが完全に開蓋する位置まで回動した時点において、上部半体７１に配設された板バネ７９（具体的には、板バネ７９に形成された突部１１６）と係合するよう構成されている。従って、シャッタ１５が完全に開蓋した後、シャッタレバー７８がシャッタレバー付勢バネ１１５の付勢力及び板バネ７９の係合力によりシャッタ１５の閉蓋方向に回動することは防止され、シャッタ１５は開蓋した状態を維持する。
【００４２】
また、ディスクカートリッジ１３の排出時には、キャリアユニット７０の排出方向（図中矢印Ｙ２方向）への移動により、シャッタレバー７８に設けられたシャッタ駆動ピン１１３は再びスリット１２６と係合するよう構成されている。よって、ディスクカートリッジ１３の排出動作によりシャッタ駆動ピン１１３は長孔１１２及びスリット１２６に位置規制されて移動を開始し、これにより係合孔１１１と板バネ７９との係合は解除され、シャッタレバー７８は時計方向に回動し、これに伴いシャッタ１５は閉蓋される。
【００４３】
一方、右下部半体７２は、上部半体７１を構成する右部７１ａの下部に配設されるものである。この右下部半体７２右側部近傍には、図中矢印Ｙ１，Ｙ２方向に延在するカートリッジレバー案内溝１０４が形成されている。このカートリッジレバー案内溝１０４には、カートリッジレバー７７の下部に位置する軸部１０５（図に現れず）が移動可能に係合する。
【００４４】
従って、右下部半体７２が上部半体７１に固定された状態において、カートリッジレバー７７の上下に突出した軸部１０５はカートリッジレバー案内溝１０３，１０４に移動可能でかつ回動可能に係合する。即ち、カートリッジレバー７７は、カートリッジレバー案内溝１０３，１０４の形成範囲にわたり、各ディスク１１，１２，１４の挿入脱方向（図中矢印Ｙ１，Ｙ２方向）に移動可能な構成となっており、かつカートリッジレバー７７は軸部１０５を中心として回動可能な構成となっている。
【００４５】
このカートリッジレバー７７には、カートリッジレバー付勢バネ１０８が配設されている。このカートリッジレバー付勢バネ１０８の一端部はカートリッジレバー７７に形成されたバネ掛け部１０７に掛止されており、他端部は右下部半体７２の所定位置に掛止されている。これにより、カートリッジレバー７７は、軸部１０５を中心として図２における時計方向に回動付勢されている。
【００４６】
また、右下部半体７２にはディスク対向面９３が形成されており、このディスク対向面９３の外周位置には８ｃｍディスク用湾曲壁９４及び１２ｃｍディスク用湾曲壁９５が立設されている。８ｃｍディスク用湾曲壁９４は半径４ｃｍの曲率を有しており、また１２ｃｍディスク用湾曲壁９５は半径６ｃｍの曲率を有している。
【００４７】
そして、８ｃｍディスク１１がキャリアユニット７０に挿入された際、８ｃｍディスク１１の挿入方向の先端部分は８ｃｍディスク用湾曲壁９４に当接し、また１２ｃｍディスク１２がキャリアユニット７０に装着された際、１２ｃｍディスク１２の挿入方向の先端部分は１２ｃｍディスク用湾曲壁９５に当接する。前記したように、各ディスク用湾曲壁９４，９５は、装着される各ディスク１１，１２の半径に対応した曲率を有した構成とされており、また曲率の大きな１２ｃｍディスク用湾曲壁９５に対し、曲率の小さな８ｃｍディスク用湾曲壁９４は図中矢印Ｙ１方向側に配置されている。
尚、上記構成とされた８ｃｍディスク用湾曲壁９４及び１２ｃｍディスク用湾曲壁９５は、右部７１ａ，左部７１ｂ，及び左下部半体７３にも設けられている（右部７１ａ及び左部７１ｂに形成された各ディスク用湾曲壁９４，９５は図に現れず）。
【００４８】
従って、８ｃｍディスク１１がキャリアユニット７０に挿入された際、８ｃｍディスク１１は８ｃｍディスク用湾曲壁９４に当接する。８ｃｍディスク用湾曲壁９４は８ｃｍディスク１１の外周と対応した形状とされているため、単に８ｃｍディスク１１を８ｃｍディスク用湾曲壁９４に押し当てるだけで、キャリアユニット７０に対する８ｃｍディスク１１の位置決めを行なうことができる（図８（Ａ）（Ｂ）及び図９参照）。
【００４９】
同様に、１２ｃｍディスク１２がキャリアユニット７０に挿入された際、１２ｃｍディスク１２は８ｃｍディスク用湾曲壁９４に当接することなく１２ｃｍディスク用湾曲壁９５に当接する。従って、単に１２ｃｍディスク１２を１２ｃｍディスク用湾曲壁９５に押し当てるだけで、キャリアユニット７０に対する１２ｃｍディスク１２の位置決めを行なうことができる（図８（Ａ）（Ｂ）及び図９参照）。
【００５０】
また、ディスク対向面９３は、各ディスク用湾曲壁９４，９５から図中矢印Ｙ２方向に進むにつれて傾斜する傾斜面とされている。よって、各ディスク１１，１２をキャリアユニット７０に装着する際、各ディスク１１，１２はディスク対向面９３に案内されてディスク用湾曲壁９４，９５に押し当てられることとなり、これによっても各ディスク１１，１２のキャリアユニット７０に対する位置決め処理を容易に行なうことができる。
【００５１】
更に、ディスクカートリッジ１３がディスク装置１０に挿入された場合には、図８（Ｂ）に示すように、ディスクカートリッジ１３の先端部がキャリアユニット７０の前面８９に当接することにより、キャリアユニット７０に対するディスクカートリッジ１３の位置決めが行なわれるよう構成されている。また、右下部半体７２にはディスクカートリッジ検出用スイッチ９８が配設されており、その接触部９９は前面８９から突出するよう構成されている（図８（Ａ）参照）。よって、ディスクカートリッジ１３がキャリアユニット７０と当接する位置まで挿入されたことは、ディスクカートリッジ検出用スイッチ９８の出力により検知することができる。
【００５２】
一方、左下部半体７３には、ローディングモータ１００及びギヤ群１０１が配設されている。ローディングモータ１００はギヤ群１０１と噛合することにより、ギヤ群１０１を駆動する構成とされている。また、ギヤ群１０１の最外部に位置するギヤ１０２は、左下部半体７３から外部に突出するよう構成されている。このギヤ１０２は、キャリアユニット７０がホルダ４０に取り付けられた状態において、ホルダ４０に配設された左レール５１に形成されたラックギヤ５２と噛合するよう構成されている。
従って、ローディングモータ１００が駆動し、ラックギヤ５２と噛合したギヤ１０２がギヤ群１０１を介して回動することにより、キャリアユニット７０はホルダ４０内で図中矢印Ｙ１方向（挿入方向）及び図中矢印Ｙ２方向（排出方向）に移動する。また、各ディスク１１，１２及びディスクカートリッジ１３をキャリアユニット７０が保持した状態でローディングモータ１００が駆動することにより、キャリアユニット７０と共に各ディスク１１，１２及びディスクカートリッジ１３も図中矢印Ｙ１方向（挿入方向）及び図中矢印Ｙ２方向（排出方向）に搬送される。
【００５３】
また、前記したように左下部半体７３にも８ｃｍディスク用湾曲壁９４及び１２ｃｍディスク用湾曲壁９５が設けられているが、図８（Ａ）（Ｂ）に示すように、この８ｃｍディスク用湾曲壁９４には８ｃｍディスク検出用スイッチ９６が、また１２ｃｍディスク用湾曲壁９５には１２ｃｍディスク検出用スイッチ９７が配設されている。
そして、８ｃｍディスク検出用スイッチ９６は８ｃｍディスク１１がキャリアユニット７０内の所定装着位置（８ｃｍディスク用湾曲壁９４と当接する位置）に挿入されることにより、また１２ｃｍディスク検出用スイッチ９７は１２ｃｍディスク１２がキャリアユニット７０内の所定装着位置（１２ｃｍディスク用湾曲壁９５と当接する位置）に挿入されることにより信号を出力する構成とされている。よって、各ディスク検出用スイッチ９６，９７からの出力から、各ディスク１１，１２がキャリアユニット７０内の所定装着位置に装着されたことを検知することができる。
【００５４】
続いて、キャリアユニット７０に配設される第１乃至第４のクリップディスク７４（７４−１〜７４−４）について説明する。尚、本実施例では合計４個のクリップディスク７４（７４−１〜７４−４）が配設されているが、この各クリップディスク７４−１〜７４−４は同一構成とされている。よって以下の説明において、第１乃至第４のクリップディスク７４−１〜７４−４を特定しないで説明する場合には、クリップディスク７４と総称して説明するものとする。
【００５５】
クリップディスク７４はバネ性を有した樹脂材料により形成されており、固定部８５及び一対の舌片部８６とにより構成されている。固定部８５には図示しないネジが挿通される挿通孔８５ａが形成されている。この図示しないネジは、挿通孔８５ａを挿通して右部７１ａ，左部７１ｂ，右下部半体７２，左下部半体７３に螺着される。これにより、各クリップディスク７４はキャリアユニット７０に固定される。
【００５６】
また、一対の舌片部８６は、固定部８５の両側部より折り曲げられることにより、固定部８５に対して斜め前方に延出した構成とされている。従って、クリップディスク７４は側面視した状態で略Ｖ字状を有した形状となる。更に、各舌片部８６の先端部には、当接部８８が突出形成されている。
【００５７】
図５に示されるように、第１のクリップディスク７４−１は、装着凹部９１に右部７１ａの上部から配設される。この時、第１のクリップディスク７４−１の舌片部８６は、下部に位置するよう取り付けられる。また、装着凹部９１の舌片部８６と対向する位置には開口部９２が形成されており、舌片部８６はこの開口部９２を介してディスク対向面９３に突出するよう構成されている。
【００５８】
また、第２のクリップディスク７４−２は、右下部半体７２に形成された装着凹部（図に現れず）に下部から配設される。この時、第２のクリップディスク７４−２の舌片部８６は、上部に位置するよう取り付けられる。また、装着凹部の舌片部８６と対向する位置には開口部９２が形成されており、舌片部８６はこの開口部９２を介してディスク対向面９３に突出するよう構成されている。
【００５９】
この際、第１のクリップディスク７４−１と第２のクリップディスク７４−２との配設位置は、互いに対向するよう設定されている。具体的には、図７（Ａ）に示すように、第１のクリップディスク７４−１と第２のクリップディスク７４−２は互いの舌片部８６が対抗するよう配設され、かつ配設状態において各舌片部８６の先端部に形成された当接部８８が舌片部８６のバネ力を持って当接するよう構成されている。この際、各舌片部８６は、各ディスク１１，１２の挿入方向（図中矢印Ｙ１方向）に向け漸次近接することにより当接部８８同士が当接する構成とされている。
【００６０】
上記構成において、キャリアユニット７０に８ｃｍディスク１１或いは１２ｃｍディスク１２が挿入されると、ディスク１１，１２は第１のクリップディスク７４−１と第２のクリップディスク７４−２との間に挿入される。そして、図７（Ｂ）に示すように、ディスク１１，１２の挿入方向右先端部は、第１のクリップディスク７４−１の当接部８８と第２のクリップディスク７４−２の当接部８８との間に挟持（クランプ）される。これによりディスク１１，１２は、第１及び第２のクリップディスク７４−１，７４−２により保持された状態となる。
【００６１】
また、第３のクリップディスク７４−３は、装着凹部９０に左部７１ｂの上部から配設される。この時、第３のクリップディスク７４−３の舌片部８６は、下部に位置するよう取り付けられる。また、装着凹部９０の舌片部８６と対向する位置には開口部９２が形成されており、舌片部８６はこの開口部９２を介してディスク対向面９３に突出するよう構成されている。
【００６２】
また、第３のクリップディスク７４−３と対抗する位置には、第４のクリップディスク７４−４が配設されている。よって、上記第１及び第２のクリップディスク７４−１，７４−２と同様に、第３のクリップディスク７４−３と第４のクリップディスク７４−４は互いの舌片部８６が対抗するよう配設され、かつ配設状態において各舌片部８６の先端部に形成された当接部８８が舌片部８６のバネ力を持って当接するよう構成されている。
【００６３】
従って、キャリアユニット７０に８ｃｍディスク１１或いは１２ｃｍディスク１２が挿入されると、ディスク１１，１２は第３のクリップディスク７４−３と第４のクリップディスク７４−４との間に挿入される。そして、図７（Ｂ）に示すように、ディスク１１，１２の挿入方向左先端部は、第３のクリップディスク７４−３の当接部８８と第４のクリップディスク７４−４の当接部８８との間に挟持（クランプ）される。これによりディスク１１，１２は、第３及び第４のクリップディスク７４−３，７４−４により保持された状態となる。
【００６４】
このように、８ｃｍディスク１１或いは１２ｃｍディスク１２は、左右先端部が第１及び第２のクリップディスク７４−１，７４−２と第３及び第４のクリップディスク７４−３，７４−４とによりクランプされる。
【００６５】
ここで、図９を参照して、キャリアユニット７０がイジェクト位置Ｐ１（図１参照）から８Ｌ開始位置Ｐ２（図１参照）まで移動する間の、ディスクレバー６０の動作について説明する。
図９は、キャリアユニット７０及びディスクレバー６０を裏側から見た底面図であり、（Ａ）はキャリアユニット７０がイジェクト位置Ｐ１に位置した状態を示し、（Ｂ）はキャリアユニット７０がイジェクト位置Ｐ１と８Ｌ開始位置Ｐ２の間に位置した状態を示し、（Ｃ）はキャリアユニット７０が８Ｌ開始位置Ｐ２に位置した状態を示している。
【００６６】
キャリアユニット７０がイジェクト位置Ｐ１から８Ｌ開始位置Ｐ２まで移動することにより、キャリアユニット７０の裏面に形成された段差状のカム部Ｎ１が図中矢印Ｙ１方向に移動する。これにより、ディスクレバー６０は、ディスクレバー付勢バネ６５の付勢力によりレバー本体部６１が段差状のカム部Ｎ１に摺接しつつ反時計方向に回動し、ディスクレバー６０に形成されている係合爪部６３は図１１（Ｃ）に示すように８ｃｍディスク１１の挿入方向後部に係合する。
【００６７】
ディスクレバー６０は、レバー本体部６１が段差状のカム部Ｎ１から離間すると、ディスクレバー付勢バネ６５の付勢力により、８ｃｍディスク１１の挿入方向後部をディスク挿入方向に押圧する。
【００６８】
これにより、８ｃｍディスク１１は、その挿入方向前部をクリップディスク７４に保持されると共に、挿入方向後部をディスクレバー６０により保持された構成となる。このように、本実施例では８ｃｍディスク１１の挿入方向前部及び挿入方向後部の双方を保持することにより、カートリッジに装着されていない構成の８ｃｍディスク１１であっても、この８ｃｍディスク１１がキャリアユニット７０から離脱することを防止でき、安定した搬送処理を行なうことが可能となる。
【００６９】
また、レバー本体部６１はキャリアユニット７０の裏面に形成された段差状のカム部Ｎ１により回動動作時期を調整されており、係合爪部６３は８ｃｍディスク１１の最大直径部位（矢印Ｘ１，Ｘ２方向に対する最大径部位。即ち、中央位置）が図中矢印Ｙ１方向に通過した後に初めて、８ｃｍディスク１１の挿入方向後部に当接するよう構成されている。これにより、ディスク挿入負荷の軽減を図ることができる。
【００７０】
一方、カートリッジレバー７７は、キャリアユニット７０がイジェクト位置Ｐ１から８Ｌ開始位置Ｐ２に移動することにより、カートリッジレバー付勢バネ１０８に付勢されて軸部１０５がカーとリッジレバー案内溝１０３，１０４内を図中矢印Ｙ２方向に移動する。即ち、カートリッジレバー７７は、キャリアユニット７０に対しては図中矢印Ｙ２方向に相対的に移動する。
【００７１】
しかしながら、上記イジェクト位置Ｐ１から８Ｌ開始位置Ｐ２までの移動では、カートリッジレバー７７の係合爪１０６はカートリッジレバー退避用カム５４と当接した状態を維持しており、よってホルダ４０に対するカートリッジレバー７７の位置は変化していない。
【００７２】
ここで、ディスク装置１０の前面に取り付けられる前面ベゼル１３０について説明する。
図１０及び図４（Ａ）（Ｂ）に示されるように、前面ベゼル１３０には、各種操作スイッチ１３４の他にディスク１１，１２及びディスクカートリッジ１３を挿入するための挿入口１３３が設けられている。この挿入口１３３の高さ及び横幅寸法は、ディスクカートリッジ１３が通過できる寸法に形成されている。そして、挿入口１３３は、カートリッジ挿入前の状態で上下方向に２分割された開閉蓋１３１，１３２により閉塞されている。
【００７３】
開閉蓋１３１，１３２は、両端が回動可能に支持されており、ディスクカートリッジ１３が挿入またはイジェクトされる際に開閉蓋１３１は上方に回動し、開閉蓋１３２は下方に回動する。尚、開閉蓋１３１，１３２は、ディスクカートリッジ１３が挿入されるときはディスクカートリッジ１３に押圧されて装置内側に回動するが、イジェクト時は開閉機構（図示せず）により開動作するようになっている。
また、開閉蓋１３１，１３２は、挿入口１３３の中央に位置する凹部１３１ａ，１３２ａを有する。この凹部１３１ａ，１３２ａは、開閉蓋１３１，１３２が閉蓋位置にあるとき、互いに突き合わされ、挿入口１３３を介して装置内外を連通するためのスリット（隙間）１３５を形成する。このスリット１３５は、ディスク１１，１２を装置内に挿入するための開口となる。
【００７４】
図１１に示されるように、開閉蓋１３１，１３２は、裏面（装置内側）に凹部１３１ａ，１３２ａを塞ぐ弾性部材１３６，１３７が貼着されている。この弾性部材１３６，１３７は、例えばフエルト材などの弾性を有する素材により形成されており、ディスク１１，１２の挿入操作により内側に撓むことができる。また、イジェクト時には、ディスク１１，１２のイジェクト動作により外側に撓むことができる。尚、弾性部材１３６，１３７は、フエルト材以外の弾性材（例えば、ゴム材など）により形成することもできる。
【００７５】
図１２に示されるように、ディスクカートリッジ１３が挿入されるときは、開閉蓋１３１，１３２が開放方向に回動してディスクカートリッジ１３の挿入操作を許容する。そのため、ディスクカートリッジ１３は、挿入口１３３にガイドされて挿入口１３３の中央を通過するため、スムーズに挿入できると共に、前述したキャリアユニット７０のカートリッジレバー７７に確実に係止されて装置内に搬送される。
図１３に示されるように、ディスク１１，１２を挿入する際は、開閉蓋１３１，１３２間に形成されたスリット１３５に挿入することにより、弾性部材１３６，１３７がディスク１１，１２の周縁部に押圧されて装置内側に撓む。その際、ディスク１１，１２は、上下面が弾性変形した弾性部材１３６，１３７によって挟持されながら装置内に挿入されるため、挿入口１３３の中央を通過するように弾性部材１３６，１３７によってガイドされながら挿入される。
【００７６】
従って、ディスク１１，１２は、ディスクカートリッジ１３と同様に挿入口１３３の中央を通過して挿入されるため、前述したキャリアユニット７０のクリップディスク７４によって確実に保持されて装置内に搬送される。
上記実施例では、開閉蓋１３１，１３２が２部材により形成されているが、これに限らず、１部材により挿入口１３３を開閉する構成としても良いのは勿論である。
【００７７】
【発明の効果】
上述の如く、請求項１記載の発明によれば、ディスク状記録媒体またはディスク状記録媒体が収容されたカートリッジの何れかが選択的に挿入される挿入口と、カートリッジが挿入される前はディスク状記録媒体が通過できる隙間を有する開口を除いて挿入口を閉塞する閉塞位置に回動し、カートリッジが挿入される過程で挿入口を開放する方向に回動して挿入口を開放する開放位置に保持される開閉部材と、開閉部材の前記開口を塞ぐように設けられ、ディスク状記録媒体の挿入により変形すると共に、弾性復元力によりディスク状記録媒体の挿入位置をガイドする弾性部材と、を備えてなり、ディスク状記録媒体を直接挿入口に挿入する場合には弾性部材が撓んでディスク状記録媒体の挿入位置をガイドすることができ、カートリッジを挿入する場合には開閉部材が開放位置に回動してスムーズに挿入することができる。従って、ディスク状記録媒体及びカートリッジが同一の挿入口から挿入されるスロットイン・コンパチブル方式を実現できる。
【００７８】
また、請求項２記載の発明によれば、弾性部材がディスク状記録媒体の挿入をガイドする位置が挿入口を通過するカートリッジの挿入位置と略同じ位置となるように設けられており、ディスク状記録媒体及びカートリッジを同じ平面上で保持して装置内に確実に装着することができる。
【００７９】
また、請求項３記載の発明によれば、開閉部材が挿入口を２分割するように配置された２部材からなり、２部材がカートリッジの挿入により異なる２方向に回動して前記挿入口を開放する構成であり、開閉部材をスムーズに開閉できると共に、ディスク状記録媒体の挿入位置を挿入口の中央に設けることができ、ディスク状記録媒体の挿入操作が容易に行える。
【図面の簡単な説明】
【図１】本発明の一実施例であるディスク装置１０を示す分解斜視図である。
【図２】ベースカバー１２０を外した状態のディスク装置１０の平面図である。
【図３】前面ベゼルを外した状態のディスク装置１０の正面図である。
【図４】ディスク装置１０の内部構造を示す側断面図であり、（Ａ）はホルダ４０が上動位置にある側断面図、（Ｂ）はホルダ４０が下動位置にある側断面図である。
【図５】キャリアユニット７０の構成を示す分解斜視図である。
【図６】クリップディスク７４の構成を示す斜視図である。
【図７】クリップディスク７４のディスク保持動作を説明するための縦断面図である。
【図８】ディスクが挿入される様子を示す平面図であり、（Ａ）はキャリアユニット７０の右下部半体７２，左下部半体７３の構成を説明するための平面図、（Ｂ）は挿入されたディスクを保持するキャリアユニット７０の動作を説明するための平面図である。
【図９】ディスクレバーの動作を説明するための図であり、（Ａ）はキャリアユニット７０がイジェクト位置Ｐ１に位置した状態を示す底面図、（Ｂ）はキャリアユニット７０がイジェクト位置Ｐ１と８Ｌ開始位置Ｐ２の間に位置した状態を示す底面図、（Ｃ）はキャリアユニット７０が８Ｌ開始位置Ｐ２に位置した状態を示す底面図である。
【図１０】前面ベゼルの正面図である。
【図１１】前面ベゼルの側断面図である。
【図１２】前面ベゼルの開閉蓋１３１，１３２がディスクカートリッジ１３の挿入操作により開放動作した状態を示す側断面図である。
【図１３】ディスク１１，１２が開閉蓋１３１，１３２のスリット１３５に挿入された動作状態を示す側断面図である。
【符号の説明】
１０  ディスク装置
１１  ８ｃｍディスク
１２  １２ｃｍディスク
１３  ディスクカートリッジ
１４  デジタルビデオディスク
２０  ベース
２４  ターンテーブル
２５  ディスクモータ
２６  ピックアップ
２７  ガイドシャフト
２８  第１のディスクレバー駆動カム
２９  第２のディスクレバー駆動カム
３０  ホルダ駆動スライダ
３１  カム板部
３２，３３  斜めカム
４０  ホルダ
４６  垂下部
４７，４８  従動ピン
５７  回動軸
５８  クランパ
５９  クランパホルダ
６０  ディスクレバー
６１  レバー本体部
７０  キャリアユニット
７１  上部半体
７２  右下部半体
７３  左下部半体
７４（７４−１，７４−２，７４−３，７４−４）  クリップディスク
７７  カートリッジレバー
７８  シャッタレバー
１０３，１０４  カートリッジレバー案内溝
１２０  ベースカバー
１３０  前面ベゼル
１３１，１３２  開閉蓋
１３１ａ，１３２ａ  凹部
１３３  挿入口
１３５  スリット
１３６，１３７  弾性部材
【図１】
0003674493.tif 000002
【図２】
0003674493.tif 000003
【図３】
0003674493.tif 000004
【図４】
0003674493.tif 000005
【図５】
0003674493.tif 000006
【図６】
0003674493.tif 000007
【図７】
0003674493.tif 000008
【図８】
0003674493.tif 000009
【図９】
0003674493.tif 000010
【図１０】
0003674493.tif 000011
【図１１】
0003674493.tif 000012
【図１２】
0003674493.tif 000013
【図１３】
0003674493.tif 000014